(57)【特許請求の範囲】
【請求項１】
遊技球が打ち込まれる遊技領域に、遊技球が入球可能な役物を設けた弾球遊技機において、
前記役物内に、駆動源から付与される動力によって、上下方向を向く軸回りに回転した状態で、前記役物内に入球した遊技球を、螺旋軌道を描きつつ下方へ向けて転動して下端部に設けた排出部から放出可能な螺旋状スロープを有する螺旋状回転体と、
前記螺旋状回転体の側方で、かつ前記排出部の下方にあって、駆動源から付与される動力によって上下方向を向く軸回りに回転し、前記排出部から放出される遊技球が上面を外側から内側へ向けて転動可能で、当該転動した遊技球が入賞することにより遊技者にとって有利な特別遊技状態の発生を確定する特定領域部またはそれ以外の領域に振り分け可能な円盤状の特別遊技振分回転体とを備え、
前記特別遊技振分回転体に対する前記螺旋状スロープの前記排出部の向きは、前記螺旋状回転体の回転に伴って変化することを特徴とする弾球遊技機。
【請求項２】
前記螺旋状回転体を、前記螺旋状スロープの巻き方向と同一方向へ前記駆動源により回転させるようにしたことを特徴とする請求項１記載の弾球遊技機。
【請求項３】
前記特別遊技振分回転体は、遊技球を前記特定領域部に振り分け可能な特定入賞口をその回転中心部に形成し、また、遊技球を前記特定領域部以外の領域に振り分け可能な通常搬送部をその周縁に切欠き状に形成したことを特徴とする請求項１または２に記載の弾球遊技機。
【請求項４】
前記螺旋状回転体を回転させる駆動源と前記特別遊技振分回転体を回転させる駆動源を、同一のモータで構成したことを特徴とする請求項１〜３のいずれかに記載の弾球遊技機。
【発明の詳細な説明】
【技術分野】
【０００１】
本発明は、遊技球を遊技領域に打込んで遊技が行なわれる弾球遊技機に関する。
【背景技術】
【０００２】
弾球遊技機においては、遊技球が打ち込まれる遊技領域に、遊技球が入賞可能なセンター役物が設けられている。センター役物内には、センター役物内に入賞した遊技球の進行方向を変化させるコイルバネが設けられている。このコイルバネは、上端が回転可能に支持されるとともに、モータの動力により回転しながら、遊技球を上端から進入させて下端から放出することによって、遊技球の進行方向を変化させる。コイルバネを通過した遊技球は、そのときのコイルバネの下端の向きに応じて、コイルバネの下方に設けられた外れ領域または遊技が有利となる当り領域に向けて放出される（例えば、特許文献１参照）。
【特許文献１】特開２００６−６９２５号公報（図１９）
【発明の開示】
【発明が解決しようとする課題】
【０００３】
しかし、上述のような弾球遊技機においては、遊技球が当り領域に入賞するか否かは、遊技球が放出されるときのコイルバネの下端の向きによってほぼ決まるため、遊技球が放出されるときのコイルバネの下端の向きを視認することによって、遊技球が当り領域に入賞するか否かの振り分けを大体予測することができ、遊技球の振り分け動作が単調となり、遊技が短時間に飽きられてしまうこととなる。
【０００４】
本発明は、上述の問題点を鑑みてなされたもので、遊技球の振り分けの予測を困難にして、遊技の興趣を高めることができるようにした弾球遊技機を提供することを目的とする。
【課題を解決するための手段】
【０００５】
本発明によると、上記課題は、次のようにして解決される。
遊技球が打ち込まれる遊技領域に、遊技球が入球可能な役物を設けた弾球遊技機において、前記役物内に、駆動源から付与される動力によって、上下方向を向く軸回りに回転した状態で、前記役物内に入球した遊技球を、螺旋軌道を描きつつ下方へ向けて転動して下端部に設けた排出部から放出可能な螺旋状スロープを有する螺旋状回転体と、前記螺旋状回転体の側方で、かつ前記排出部の下方にあって、駆動源から付与される動力によって上下方向を向く軸回りに回転し、前記排出部から放出される遊技球が上面を外側から内側へ向けて転動可能で、当該転動した遊技球が入賞することにより遊技者にとって有利な特別遊技状態の発生を確定する特定領域部またはそれ以外の領域に振り分け可能な円盤状の特別遊技振分回転体とを備え、前記特別遊技振分回転体に対する前記螺旋状スロープの前記排出部の向きは、前記螺旋状回転体の回転に伴って変化する。この構成により、遊技球は螺旋軌道を描きつつ回転している螺旋状回転体の排出部から特別遊技振分回転体の上面に放出されるため、遊技球の放出方向をその都度変化させることができるので、遊技球の振り分け方向は予測困難となり、遊技の興趣を高めることができる。
【０００８】
本発明は更に、前記螺旋状回転体を、前記螺旋状スロープの巻き方向と同一方向へ駆動源により回転させる。この構成により、螺旋状回転体は螺旋状スロープの巻き方向、すなわち遊技球の転動方向と同一方向へ回転するものであるから、遊技球を特別遊技振分回転体に向けて放出するときの遊技球の放出速度を速めることができる。
【０００９】
本発明は更に、前記特別遊技振分回転体は、遊技球を前記特定領域部に振り分け可能な特定入賞口をその回転中心部に形成し、また、遊技球を前記特定領域部以外の領域に振り分け可能な通常搬送部をその周縁に切欠き状に形成する。この構成により、螺旋状回転体から特別遊技振分回転体の中心に向けて放出される遊技球を、特別領域部に振り分けることができる。
【００１０】
本発明は更に、前記螺旋状回転体を回転させる駆動源と前記特別遊技振分回転体を回転させる駆動源を、同一のモータとする。この構成により、単一のモータにより、螺旋状回転体と特別遊技振分回転体を回転させることができ、コスト低減を図ることができる。
【発明の効果】
【００１１】
本発明によれば、遊技球の振り分けの予測を困難にして、遊技の興趣を高めることができるようにした弾球遊技機を提供することができる。
【発明を実施するための最良の形態】
【００１２】
以下、本発明に係わる一実施形態を図面に基づいて説明する。図１は、本発明を適用した弾球遊技機の正面図である。なお、以下の説明においては、図１において図面手前を「前方または表面」とし、図面奥を「後方または裏面」とし、左方を「左方」とし、右方を「右方」とする。
【００１３】
図１に示すように、弾球遊技機をなすパチンコ機１は、遊技施設に据え付けられる外枠２と、外枠２内に固定され、表面に外側ガイドレール３と内側ガイドレール４とによって包囲された円形状の遊技領域５を形成した遊技盤６と、外枠２に支持されて、遊技盤６の表面を開閉可能なガラス枠扉７とを備えている。遊技盤６の裏側には、遊技機１の遊技を統括的に制御する制御回路部（図示略）、遊技球が入賞したとき予め定めた数の遊技球を賞球としてガラス枠扉７の下方に設けられた球貯留皿８に払い出す払出装置（図示略）、遊技球を遊技領域５に発射する発射装置（図示略）等が設けられている。
【００１４】
球貯留皿８に貯留されている遊技球は、ガラス枠扉７の右下に設けられた操作ハンドル９を回動操作することによって、発射装置から発射されて、外側ガイドレール３及び内側ガイドレール４により誘導されて遊技領域５に打ち込まれ、遊技領域５に植設された多数の遊技釘に当接しながら流下する。なお、遊技釘は、図面簡素化のため省略してある。
【００１５】
遊技領域５のほぼ中央には、後述の羽根部材１５が開閉動作しているとき、遊技領域５に打ち込まれた遊技球を、内部に受入可能な役物１０が配置されている。役物１０内に入球した遊技球が、役物１０内に設けた後述の特別遊技振分回転体１９により後述の特定領域部に振り分けられた場合には、遊技者にとって有利な特別遊技状態が発生する。役物１０の下方には、遊技球が通過または入賞可能な第１始動口１１及び左右の第２始動口１２がそれぞれ配置されている。さらに遊技領域５の最下部には、遊技領域５に打ち込まれた遊技球を遊技盤６の裏面側に排出するアウト口１３が設けられている。
【００１６】
図２は、役物１０の拡大正面図、図３は、役物１０を斜め前方から見たその斜視図、図４は、役物１０内の要部を示す一部破断斜視図、図５は、役物１０における縦断面図、図６は、図２におけるVI−VI線横断面図、図７は、要部の斜視図である。
【００１７】
役物１０は、遊技盤６の表面に固定される合成樹脂製のハウジング１４を備え、ハウジング１４の上部には、遊技領域５に打ち込まれた遊技球Ａをハウジング１４内に入球可能とする左右の入口１４２と、左右の入口１４２を開閉可能な左右の羽根部材１５が設けられている。
【００１８】
左右の羽根部材１５は、外側端部がハウジング１４の上部に前後方向を向く支軸１５１により上下方向へ揺動可能に枢支されるとともに、ハウジング１４の裏側上部に枢支されたリンク１６ａ、１６ｂを介してソレノイド（図示略）により連結され、遊技球Ａが第１始動口１１または第２始動口１２に入球したことを契機に１回または２回開閉動作する。羽根部材１５が閉鎖位置（図２に実線で示す位置）にあるときは、入口１４２を閉鎖して、遊技球Ａのハウジング１４内への入球を実質的に不能にし、また、同じく開放位置（図２に想像線で示す位置）にあるときは、入口１４２を開放して、遊技球Ａのハウジング１４内への入球を可能にする。
【００１９】
ハウジング１４内の上部中央には、入口１４２から入球した遊技球Ａが通過可能な導入口１４３が設けられている。導入口１４３の内部には、遊技球Ａの通過を検出可能なセンサ（図示略）が設けられている。センサが遊技球Ａの通過を検出すると、入賞信号が制御回路部に送信され、払出装置から予め定めた数の遊技球が賞球として球貯留皿８に払い出される。
【００２０】
主に図４に示すように、ハウジング１４内には、遊技球Ａを予め定めた方向へ誘導する第１、２及び第３通路１７、２０、２６並びに第１、２螺旋状回転体１８、２１と、遊技球Ａを予め定めた領域に振り分け可能な特別遊技振分回転体１９及びリトライ振分構造体を形成する一、二次リトライ振分体２２、２３と、遊技球Ａを上方へ搬送可能な上昇搬送機構２５と、上昇搬送機構２５により搬送される直前の遊技球Ａを後述のように規制する規制部材２４と、上昇搬送機構２５により搬送される直前の遊技球Ａを検出する検出装置４２が設けられている。
【００２１】
第１通路１７は、導入口１４３の下方に設けられ、導入口１４３を通過して落下した遊技球Ａを受け止めて左斜め下方、すなわち第１螺旋状回転体１８へ誘導する。
【００２２】
第１螺旋状回転体１８は、ハウジング１４内の左部に上下方向を向く第１回転軸２７により枢支されるとともに、ハウジング１４の底部に取り付けられた後述の第１モータ２８の動力により第１回転軸２７と共に図６において時計方向へ回転する。第１螺旋状回転体１８には、第１通路１７により誘導された遊技球Ａを受け止めることにより、その回転方向と同一方向の時計方向へ螺旋軌道を描きつつ下方へ誘導する螺旋状スロープ１８１が設けられている。第１螺旋状回転体１８の回転方向と螺旋スロープ１８１の巻き方向（遊技球Ａが螺旋軌道を描きつつ転動する方向）を同一方向にすることにより、螺旋状スロープ１８１の進み角を小さくして、遊技球Ａの放出速度を速めることができる。これにより、第１螺旋状回転体１８の上下方向の寸法を短縮することができる。また、第２螺旋状回転体２１についても同様に上下方向の寸法を短縮することができる。なお、第１螺旋状回転体１８とその下方に設けられる第２螺旋状回転体２１のほぼ左半分の周囲は、遊技球Ａが落下しないように、ハウジング１４に設けられたカバー部１４６により覆われる。また、第１螺旋状回転体１８と第２螺旋状回転体２１との間は、第１螺旋状回転体１８に誘導された遊技球Ａが第２螺旋状回転体２１へ移動しないように、ハウジング１４に設けられた水平方向の区画板１４４により区画されている。
【００２３】
特別遊技振分回転体１９は、表面中央部が凸の丘陵円板状をなすとともに、第１通路１７の下方に設けられた皿状の特別遊技振分受皿３４のほぼ中央に上下方向を向く大径の第２回転軸３０により枢支され、第１モータ２８の動力により図６において時計方向へ回転する。特別遊技振分回転体１９には、外周が開口し、遊技球Ａを受入可能な複数（本実施形態においては１０個）の切欠き状の通常搬送部１９１が周方向に沿って等間隔で設けられ、また、同じく中央部には、上下方向へ貫通し、遊技球Ａが通過可能な特定入賞口１９２が設けられている。なお、通常搬送部１９１及び特定入賞口１９２の数及び位置は、本実施形態に特定されるものでなく、必要に応じて適宜変更可能である。
【００２４】
第２回転軸３０は、その下端部が特別遊技振分回転体１９の中央上部に連設されるとともに、その下端部には、特定入賞口１９２の真上において水平方向へ貫通し、遊技球Ａが進入可能なトンネル３０１が設けられている。また、第２回転軸３０の下端部におけるトンネル３０１以外の領域は、遊技球Ａが特定入賞口１９２に入球することを邪魔する障害部３０２として作用する。
【００２５】
第１螺旋状回転体１８の螺旋状スロープ１８１を転動した遊技球Ａは、特別遊技振分受皿３４内に勢いよく放出され、特別遊技振分回転体１９の通常搬送部１９１または特定入賞口１９２のいずれかに入球する。この場合、遊技球Ａが、回転している第１螺旋状回転体１８の螺旋状スロープ１８１の下端部に設けられた排出部１８１ａから特別遊技振分受皿３４内に放出されるため、遊技球Ａの放出方向は、遊技球Ａが特別遊技振分受皿３４内に放出されるときの排出部１８１ａの向きや遊技球Ａの放出速度等により決まり、その都度変化して予測不可能である。また、そのことと相俟って、特別遊技振分回転体１９が回転しているため、特別遊技振分回転体１９による遊技球Ａの振り分け方向の予測は困難または実質的に不可能である。
【００２６】
遊技球Ａが特定入賞口１９２に入球するには、回転している特別遊技振分回転体１９の上面をその外側から内側へ向けて転動し、かつ回転軸３０の障害部３０２を避けてトンネル３０１に進入する必要がある。このため、遊技球Ａが特定入賞口１９２に入球する可能性は、通常搬送部１９１に入球する可能性よりも極めて低い。
【００２７】
特定入賞口１９２に入球した遊技球Ａは、特別遊技振分受皿３４のほぼ中央に設けられた特定落し孔３４１から落下して、第２通路２０により左斜め下方へ誘導され、第２通路２０の下端部に設けられた特定領域部をなす特別入賞検出センサ３５を通過した後、排出ガイド部１４５を通って遊技盤６の裏面側に排出される。
【００２８】
通常搬送部１９１に入球した遊技球Ａは、特別遊技振分回転体１９の回転に伴って周方向へ搬送され、特別遊技振分受皿３４に設けられたリトライ落し孔３４２から落下して第２螺旋状回転体２１に誘導され、ハウジング１５内に形成されるリトライ抽選領域部１４Ａへ誘導される。すなわち、特別遊技振分回転体１９は、役物１０内に入球した遊技球Ａを、遊技を遊技者にとって有利な特別遊技状態の発生を確定する特別入賞検出センサ３５または確定しないリトライ抽選領域部１４Ａに振り分ける。
【００２９】
リトライ抽選領域部１４Ａは、特別遊技振分回転体１９の下方に設けられるとともに、後述のように、一次リトライ振分体２２及び二次リトライ振分体２３が配置され、特別遊技振分回転体１９により振り分けられた遊技球Ａを特別遊技状態が発生する可能性が消失するはずれ領域部またはそれ以外の領域に振り分け可能、すなわち特別遊技状態の発生を確定しない領域である。
【００３０】
特別入賞検出センサ３５は、遊技球Ａの通過を検出すると、特別遊技状態の発生を確定する特別権利発生信号を制御回路部に送信する。制御回路部は、特別権利発生信号の入力に基づいて、特別遊技制御を実行して特別遊技状態を発生させる。特別遊技状態が発生すると、左右の羽根部材１５が所定回数開閉動作を行い、その期間に遊技球Ａが特定入賞口１９２に再び入賞すると、左右の羽根部材１５が再び所定回数開閉動作を繰り返すラウンドを継続することができる。これにより、遊技球Ａが特定入賞口１９２に入賞した場合、遊技者は短時間に大量の遊技価値（賞球）を得ることができる。
【００３１】
第２螺旋状回転体２１は、第１螺旋状回転体１８の下方において第１回転軸２７と一体的に回転可能に支持されるとともに、特別遊技振分回転体１９の通常搬送部１９１に入球して、リトライ落し孔３４１から落下した遊技球Ａを受け止め、螺旋軌道を描きつつ下方へ誘導して一次リトライ振分体２２へ誘導する螺旋状スロープ２１１が設けられている。
【００３２】
第１、２螺旋状回転体１８、２１を回転させるための第１モータ２８は、ハウジング１４の下部に取り付けられ、図７に示すように、その出力軸に固定されたギヤ２８１、ギヤ２８１に噛合し、かつ第１回転軸２７の下端に固定されたギヤ２９を介して、その動力を第１回転軸２７に伝達し、第１、２螺旋状回転体１８、２１を回転させる。第１回転軸２７の回転は、第１回転軸２７の上端に固定されたギヤ３３、ギヤ３３に噛合する中間ギヤ３２、及び中間ギヤ３２に噛合し、かつ第２回転軸３０の上端に固定されるギヤ３１を介して、特別遊技振分回転体１９に伝達される。これにより、１個の第１モータ２８により、第１、２螺旋状回転体１８、２１及び特別遊技振分回転体１９を同時に同一方向へ回転させることができる。
【００３３】
図８は、図２におけるVIII−VIII線横断面図である。一次リトライ振分体２２は、特別遊技振分受皿３４の下方に設けられたリトライ抽選領域部１４Ａの一部を形成する皿状のリトライ振分受皿３６のほぼ中央部に上下方向を向く支軸３７により枢支され、ハウジング１４の底部に設けられる後述の振分駆動構造体５０により時計方向へ回転する。一次リトライ振分体２２には、第２螺旋状回転体２１から放出された遊技球Ａが入球可能なはずれ搬送部２２１及びリトライ搬送部２２２が互い違いに周方向に沿って３個ずつ設けられている。はずれ搬送部２２１は、リトライ搬送部２２２よりも内周側に設けられる。なお、はずれ搬送部２２１及びリトライ搬送部２２２の数及び位置は、本実施形態に特定されるものでなく、必要に応じて適宜変更可能である。
【００３４】
第２螺旋状回転体２１の螺旋状スロープ２１１により誘導された遊技球Ａは、螺旋状スロープ２１１の下端部に設けられた排出部２１１ａからリトライ振分受皿３６内に放出されることにより、一次リトライ振分体２２のはずれ搬送部２２１またはリトライ搬送部２２２のいずれかに入球する。この場合も、第１螺旋状回転体１８から特別遊技振分受皿３４内に放出される遊技球Ａと同様に、遊技球Ａが、回転している第２螺旋状回転体２１の螺旋状スロープ２１１の排出部２１１ａからリトライ振分受皿３６内に放出されるため、遊技球Ａの放出方向は、遊技球Ａがリトライ振分受皿３６内に放出されるときの排出部２１１ａの向きや遊技球Ａの放出速度等により決まり、その都度変化して予測不可能である。
【００３５】
一次リトライ振分体２２のはずれ搬送部２２１に入球した遊技球Ａは、一次リトライ振分体２２の回転に伴って周方向へ搬送され、リトライ振分受皿３６に設けられたはずれ落し孔３６１の真上に達すると、そこから落下して遊技盤６の裏面側に排出され、特別遊技状態が発生する可能性が消失する。
【００３６】
リトライ搬送部２２２に入球した遊技球Ａは、一次リトライ振分体２２の回転に伴って周方向へ搬送され、リトライ振分受皿３６に設けられたリトライ落し孔３６２の真上に達すると、そこから落下して、リトライ振分受皿３６の下方に設けられたリトライ通路３９に落下する。
【００３７】
すなわち、一次リトライ振分体２２は、特別遊技振分回転体１９によりリトライ抽選領域部１４Ａに振り分けられた遊技球Ａを、特別遊技状態が発生する可能性が消失するはずれ領域部（本実施形態においてははずれ落し孔３６１に相当）またはそれ以外の領域（本実施形態においてはリトライ通路３９に相当）に振り分ける。
【００３８】
リトライ通路３９は、リトライ振分受皿３６の下方に設けられてリトライ抽選領域部１４Ａの一部を形成するもので、リトライ落し孔３６２から落下した遊技球Ａを右方、すなわち二次リトライ振分体２３へ向けて転動させるように右方へ下り勾配となっており、かつその右部は直進して規制部材２４を介して上昇搬送機構２５へ向かう経路と、排出口４０へ向かう経路とに分岐され、その分岐点に二次リトライ振分体２３が設けられている。
【００３９】
図９、１０は、二次リトライ振分体２３及びその周辺の要部を示す平面図である。二次リトライ振分体２３は、上下方向を向く軸２３１により水平方向へ揺動可能にリトライ振分受皿３６に枢支されるとともに、遠心方向へ延出する誘導部２３２が、振分駆動構造体５０における後述の第２ギヤ５０４の回転に従動して、リトライ通路３９に突出するはずれ誘導位置（図８、１０参照）と、はずれ誘導位置から反時計方向へ所定量回動してリトライ通路３９の側面と平坦になるリトライ誘導位置（図９参照）との間を所定のタイミングで往復動作する。
【００４０】
リトライ通路３９を転動した遊技球Ａは、二次リトライ振分体２３がはずれ誘導位置にあるとき、誘導部２３２により排出口４０へ振り分けられ、また、二次リトライ振分体２３がリトライ誘導位置にあるとき、上昇搬送機構２５へ向かう方向へ振り分けられる。排出口４０へ振り分けられた遊技球Ａは、排出口４０を通過した後、排出ガイド１４５を通って遊技盤６の裏側に排出されて、特別遊技状態が発生する可能性が消失する。また、上昇搬送機構２５に向かう経路に振り分けられた遊技球Ａは、その移動が後述のように規制部材２４により制限され、上昇搬送機構２５により１個ずつ上方へ搬送されて、特別遊技振分回転体１９に返戻される。すなわち、二次リトライ振分体２３は、特別遊技振分回転体１９によりリトライ抽選領域部１４Ａに振り分けられ、かつ一次リトライ振分体２２を通過した遊技球Ａを、特別遊技状態が発生する可能性が消失するはずれ領域部（本実施形態においては排出口４０に相当）または上昇搬送機構２５に向かう方向へ振り分ける。
【００４１】
図１１、１２は、規制部材２４の動作を示す図８におけるXI−XI線縦断面図である。規制部材２４は、上昇搬送機構２５の下端部近傍の前側に配置され、その左端部がリトライ通路３９の底部に前後方向（水平方向）を向く軸２４１により上下方向へ揺動可能に枢支されるとともに、その右端部には、リトライ通路３９に設けられた窓部３９１から覗いて上下動可能な載置部２４２が設けられ、振分駆動構造体５０の第２ギヤ５０４の回転に従動して、載置部２４２が窓部３９１内に僅かに没入した下降位置（図１１参照）と、リトライ通路３９の表面よりも上方へ突出する上昇位置（図１２参照）との間を所定のタイミングで往復動作する。
【００４２】
二次リトライ振分体２３により上昇搬送機構２５に向かう方向へ振り分けられた遊技球Ａは、規制部材２４が下降位置にあるとき、載置部２４２に載置され、また、規制部材２４が上昇位置にあるとき、リトライ通路３９の表面よりも突出し、図１２に想像線で示すように、載置部２４２の手前で停止する。
【００４３】
載置部２４２に載置された遊技球Ａは、規制部材２４が下降位置から上昇位置へ移動することにより、載置部２４２の後方に設けられた段差部４１３を乗り越えて上昇搬送機構２５へ送り込まれ、上述のように上方へ搬送されて特別遊技振分回転体１９に返戻される。なお、載置部２４２の上面は、載置した遊技球Ａが後方、すなわち上昇搬送機構２５の下端部へ向けて転動するように後方へ下り勾配となっており、かつ遊技球Ａを１個だけ載置可能な大きさに形成されている。したがって、遊技球Ａが２個続いて流れてきても、先頭の遊技球Ａのみが載置部２４２に載置されて、後続の遊技球Ａは排出口４０へ誘導される。また、規制部材２４が下降位置にある場合、載置部２４２に載置された遊技球Ａは、段差部４１３により後方への転動が阻止されるため、上昇搬送機構２５に送り込まれることはない。
【００４４】
図１３、１４は、上昇搬送機構２５及びその周辺の要部を示す斜視図である。上昇搬送機構２５は、ハウジング１４内の右部に枢支された上下方向を向く第３回転軸２５１と共に回転可能な螺旋杆２５２と、螺旋杆２５２の近傍に配置される上下方向の２本の支持棒２５３により昇降可能に支持され、螺旋杆２５２の回転に伴って遊技球Ａと共に昇降可能なキャリヤ２５４と、キャリヤ２５４の昇降経路を除く螺旋杆２５２の周囲を囲む搬送カバー４１とを含む。
【００４５】
螺旋杆２５２は、遊技球Ａが転走可能な上下方向を向く螺旋溝２５２ａを有し、振分駆動構造体５０の動力により螺旋溝２５２ａの巻き方向（反時計方向）と同一方向へ回転する。
【００４６】
キャリヤ２５４は、螺旋溝２５２ａに対向する側が開口し、遊技球Ａを保持可能な保持部２５４ａを有し、最下位置（図５に実線で示す位置及び図１３に示す位置）にあるとき、規制部材２４の載置部２４２から送り出された遊技球Ａを保持部２５４ａと螺旋溝２５２ａとの間に取り込んで保持することにより、遊技球Ａを介して螺旋溝２５２ａに対して間接的に係合し、螺旋杆２５２の回転に伴って、螺旋溝２５２ａを相対的に転送して漸次上昇する遊技球Ａと共に最下位置から最上位置（図５に想像線で示す位置）まで上昇する。なお、キャリヤ２５４と螺旋溝２５２ａとの間に遊技球Ａを保持していない状態においては、キャリヤ２５４と螺旋溝２５２ａとは互いに係合関係にないため、螺旋杆２５２の回転に伴って、キャリヤ２５４のみが上昇することはない。
【００４７】
キャリヤ２５４が遊技球Ａと共に最上位置まで上昇すると、遊技球Ａは、ハウジング１４の上部から下方へ向けて突出して設けられた押出片１４７に当接し、螺旋溝２５２ａの回転移動との相互作用によってキャリヤ２５４から前方へ押し出され、搬送カバー４１の上端に設けられた排出口４１２から第３通路２６に放出される。これにより、キャリヤ２５４と螺旋溝２５２ａとの係合関係が解除され、キャリヤ２５４は、その自重により最下位置まで降下して、次の遊技球Ａを搬送可能な状態で待機する。
【００４８】
なお、本実施形態においては、螺旋杆２５２が５回転すると、キャリヤ２５４及び遊技球Ａが共に最下位置から最上位置に上昇するように、螺旋溝２５２ａの巻き数が設定されている。
【００４９】
キャリヤ２５４には、その前面に色彩、模様、文字及び／またはキャラクタ等を描いた表示部２５４ｂが設けられている。表示部２５４ｂは、遊技球Ａが上方へ搬送される際の演出効果をより高めるものであり、この表示２５４ｂを視認することにより、遊技球Ａの搬送状況を確認することができる。
【００５０】
図１５は、図１３におけるXV矢視図、図１６、１７は、検出装置４２及びその周辺の要部の斜視図である。図１５に示すように、振分駆動構造体５０は、リトライ振分受皿３６の下部に取り付けられる第２モータ５０１と、第２モータ５０１の出力軸に固着されたピニオン５０２に噛合する第１ギヤ５０３及び大径の第２ギヤ５０４と、第１ギヤ５０３に噛合する第３ギヤ５０５と、第２ギヤ５０４に噛合する第４ギヤ５０６と、第４ギヤ５０６に噛合する第５ギヤ５０７とを含む。
【００５１】
第２ギヤ５０４は、その回転により、後述のように二次リトライ振分体２３及び規制部材２４をそれぞれのタイミングで動作させるためのもので、螺旋杆２５２と一体的に回転する第３回転軸２５１の下部に回転可能に遊嵌される。第３ギヤ５０５は、螺旋杆２５２と一体的に回転するように第３回転軸２５１の下部に固定される。第５ギヤ５０７は、一次リトライ振分体２２と一体的に回転する支軸３７の下部に固定される。
【００５２】
第２モータ５０１の回転は、第２ギヤ５０４に対してはピニオン５０２を介して伝達され、螺旋杆２５２に対してはピニオン５０２、第１ギヤ５０３、第３ギヤ５０５及び第３回転軸２５１を介して伝達され、また、一次リトライ振分体２２に対してはピニオン５０２、第２ギヤ５０４、第４ギヤ５０６、第５ギヤ５０７及び支軸３７を介して伝達される。
【００５３】
第１、２及び第３ギヤ５０３、５０４及び５０５の歯数は、第２モータ５０１の回転により、第２ギヤ５０４が一回転すると、螺旋杆２５２が６回転するように設定されている。すなわち、前述のように、螺旋杆２５２が５回転すると、キャリヤ２５４及び遊技球Ａが最下位置から最上位置に移動するように、各ギヤの歯数が設定されているため、螺旋杆２５２の６回転に相当する第２ギヤ５０４の一回転する時間は、キャリヤ２５４が最下位置から最上位置まで上昇して遊技球Ａを第３通路２６に放出した後、再び最下位置に戻るまでの搬送循環時間よりも僅かに長時間となる。
【００５４】
第２ギヤ５０４は、第３回転軸２５１の下端部にあって、二次リトライ振分体２３及び規制部材２４の真下に配置されるとともに、その上面には、周方向へ所定の長さを有し、かつ上方へ突出する山形状の１個の突条部５０４ａと、上方へ突出する複数（本実施形態においては４個）の係合突部５０４ｂが設けられている。
【００５５】
突条部５０４ａは、第２ギヤ５０４が一回転する毎に、規制部材２４をその下部に当接して押し上げることにより下降位置から上昇位置に変位させる。これにより、規制部材２４は、第２ギヤ５０４が一回転する毎に、突条部５０４ａとの当接関係により下降位置と上昇位置との間を一往復する取込動作をして、１個の遊技球Ａを上昇搬送機構２５へ送り込むことができる。
【００５６】
上述のように構成することにより、規制部材２４の取込動作時間は、第２ギヤ５０４の一回転に相当し、かつキャリヤ２５４の搬送循環動作時間よりも僅かに長時間となるため、規制部材２４から送り出された遊技球Ａがキャリヤ２５４と共に最下位置から最上位置へ向けて移動している途中、規制部材２４が後続の遊技球Ａを螺旋杆２５２の螺旋溝２５２ａに送り込むようなことはない。例えば、キャリヤ２５４が最下位置以外の位置にあるとき、規制部材２４から遊技球Ａが螺旋溝２５４ａに送り込まれると、その遊技球Ａを上昇させることが不能となり、遊技球Ａとキャリヤ２５４とが干渉したりして、上昇搬送機構２５の故障を招くこととなる。しかし、本実施形態のように、キャリヤ２５４が最下位置にあるとき以外のときは、遊技球Ａが螺旋溝２５４ａに送り込まれないように、規制部材２４の取込動作を設定したことにより、上昇搬送機構２５の故障を防止して、遊技球Ａを確実に１個ずつ上昇させることができる。
【００５７】
主に図９に示すように、各係合突部５０４ｂは、第２ギヤ５０４の上面に周方向へ９０度間隔で設けられ、第２ギヤ５０４の時計方向への回転に伴って、二次リトライ振分体２３をその下部に設けられたアーム部２３３に当接することにより側方へ押動してリトライ誘導位置からはずれ誘導位置へ揺動させる。
【００５８】
二次リトライ振分体２３は、はずれ誘導位置に移動した後、第２ギヤ５０４の時計方向への回転に伴って、アーム部２３３が係合軸部５０４ｂから外れると、ばね２３４の付勢力により、はずれ誘導位置からリトライ誘導位置に復帰する。なお、ばね２３４は、一端がリトライ振分受皿３６の底部に掛止され、他端が二次リトライ振分体２３に掛止される。これにより、二次リトライ振分体２３は、第２ギヤ５０４が一回転すると、４個の係合突部５０４ｂとの当接関係によりリトライ誘導位置とはずれ誘導位置との間を４回往復動作する。
【００５９】
検出装置４２は、規制部材２４の載置部２４２に載置した遊技球Ａを検出するもので、載置部２４２に載置した遊技球Ａが当接可能な検出レバー４２１と、検出レバー４２１の動きを検出する光電式の検出センサ４２２とを含む。
【００６０】
検出レバー４２１は、前後方向を向く軸４２１ａによりハウジング１４に左右方向へ揺動可能に枢支されるとともに、載置部２４２の上方を左右方向へ移動可能な第１検出部４２１ｂ、及び載置部２４２の前方を移動可能な第２検出部４２１ｃを有し、遊技球Ａが規制部材２４の載置部２４２に載置すると、遊技球Ａが第１、２検出部４２１ｂ、４２１ｃに当接することにより、遊技球Ａの自重をもって、図１１に示す待機位置から図１２に示す検出位置へ揺動する。検出センサ４２２は、検出レバー４２１が検出位置に揺動したことを検出すると、その検出信号を遊技盤６の裏側に設けられた制御回路部に送信する。制御回路部は、その検出信号に基づいて、上昇搬送機構２５に隣接して設けられた表示塔４３の内部に設けられた光源（図示略）を発光させ、遊技球Ａが上昇搬送機構２５により上方へ搬送される際の演出が行われる。そして、遊技球Ａが載置部２４２から上昇搬送機構２５へ送り出されると、検出レバー４２１は、自重により待機位置に復帰する。
【００６１】
主に図６に示すように、第３通路２６は、上昇搬送機構２５のキャリヤ２５４から放出された遊技球Ａを、特別遊技振分回転体１９の特別入賞口１９２に向けて放出するように、その排出部２６１が特別遊技振分回転体１９の上面のほぼ中心部に向いている。したがって、遊技球Ａが第３通路２６から放出されると、その遊技球Ａは、特別遊技振分回転体１９上を転動し、第２回転軸３０の回転タイミングと合えば特別入賞口１９２に入賞し、また、タイミングが合わなければ通常搬送部１９１に入球して、前述のように再び一次リトライ振分体２２、二次リトライ振分体２３により、はずれ領域部またはそれ以外の領域に振り分けられ、それ以外の領域に振り分けられた場合には、再び特別遊技振分回転体１９に返戻される。
【００６２】
次に、役物１０内に入球した遊技球Ａの一連の流れについて説明する。先ず遊技領域５に打ち込まれた遊技球Ａが第１始動口１１または第２始動口１２に入賞すると、それを契機に、羽根部材１５が１回または２回開閉動作する。そして、羽根部材１５が開閉動作しているとき、遊技球Ａが入口１４２から役物１４内に入球すると、その遊技球Ａは、導入口１４３を通過して第１通路１７に誘導され、回転している第１螺旋状回転体１８の螺旋状スロープ１８１に放出される。螺旋状スロープ１８１に放出された遊技球Ａは、螺旋軌道を描きながら下方へ転動して、螺旋状スロープ１８１の排出部１８１ａから特別遊技振分受皿３４内に放出され、特別遊技振分回転体１９の特定入賞口１９２または通常搬送部１９１のいずれかに入球する。
【００６３】
特別遊技振分回転体１９の特定入賞口１９２に入球した遊技球Ａは、第２通路２０を通って特別入賞検出センサ３５へ振り分けられ、また、通常搬送部１９１に入球した遊技球Ａは、リトライ抽選領域部１４Ａに向かう経路に振り分けられる。遊技球Ａが特別遊技振分回転体１９により特別入賞検出センサ３５に振り分けられた場合には、特別遊技状態の発生が確定し、また、リトライ抽選領域部１４Ａに向かう経路に振り分けられた場合には、振り分けられた全ての遊技球Ａに対して、再び特別遊技振分回転体１９による特別遊技抽選を受けることができるか否かのリトライ振分抽選のチャンスが与えられる。
【００６４】
リトライ抽選領域部１４Ａに向かう経路に振り分けられた遊技球Ａは、特別遊技振分受皿３４の通常落し孔３４２から第２螺旋状回転体２１の螺旋状スロープ２１１に落下して螺旋軌道を描きながら下方へ転動して、リトライ振分受皿３６内に放出され、一次リトライ振分体２２のはずれ搬送部２２１またはリトライ搬送部２２２のいずれかに入球する。ここで、一次リトライ振分体２２は、はずれを確定するか否かに振り分ける１回目のリトライ振分抽選を行い、はずれを確定しない領域に振り分けられた全ての遊技球Ａに対して、２回目のリトライ振分抽選のチャンスを与える。
【００６５】
一次リトライ振分体２２のはずれ搬送部２２１に入球した遊技球Ａは、はずれが確定するはずれ落し孔３６１を通って遊技盤６の裏側に排出され、また、リトライ搬送部２２２に入球した遊技球Ａは、リトライ落し孔３６２からリトライ通路３９に落下して、リトライ通路３９を右方へ向けて転動する。
【００６６】
一次リトライ振分体２２によりリトライ通路３９に振り分けられた遊技球Ａは、リトライ通路３９の分岐点に移動したとき、二次リトライ振分体２３がはずれ誘導位置にあれば、はずれが確定する排出口４０に誘導され、また、二次リトライ振分体２３がリトライ誘導位置にあれば上昇搬送機構２５へ向けて誘導される。ここで、二次リトライ振分体２３は、はずれを確定するか否かに振り分ける２回目のリトライ振分抽選を行い、はずれが確定しない領域に振り分けられた一部の遊技球Ａに対して、再び特別遊技抽選のチャンスを与える。
【００６７】
はずれが確定しない領域に振り分けられた遊技球Ａは、常時上下動している規制部材２４が下降位置にあればその載置部２４２に載置され、また、上昇位置にある場合には、規制部材２４の手前で一旦停止する。このとき、規制部材２４が下降位置になる以前に、二次リトライ振分体２３がリトライ誘導位置からはずれ誘導位置に移動した場合には、規制部材２４の手前で停止して待機している遊技球Ａは、排出口４０へ強制的に排出される。
【００６８】
規制部材２４の載置部２４２に載置された遊技球Ａは、検出レバー４２１に当接して検出センサ４２２より検出される。それを契機に、表示塔４３の光源が発光して、遊技球Ａが上昇搬送機構２５により上方へ搬送されることが演出表示される。そして、規制部材２４が上昇位置に移動すると、載置部２４２に載置されている遊技球Ａは、上昇搬送機構２５の螺旋溝２５２ａとキャリヤ２５４との間に送り込まれて保持されることにより、螺旋杆２５２の回転に伴って螺旋溝２５２ａ内を漸次上昇して、キャリヤ２５４と共に上方へ搬送される。遊技球Ａが最上位置まで搬送されると、その遊技球Ａは螺旋溝２５２ａとキャリヤ２５４の間から第３通路２６に放出される。
【００６９】
第３通路２６に誘導された遊技球Ａは、特別遊技振分回転体１９に返戻される。この場合、第３通路２６の排出部２６１は、特別遊技振分回転体１９におけるほぼ中央に向いているため、第３通路２６から放出される遊技球Ａは、特定入賞口１９２に向けて放出される。したがって、遊技球Ａが特定入賞口１９２に入賞する確率は、第１螺旋状回転体１８から放出された際に行われる特別遊技抽選に比して、リトライ時での特別遊技抽選のときの方が高い。ここで、特定入賞口１９２に入球すれば、特別遊技状態の発生が確定し、また、通常搬送部１９１に入球すれば、再び一、二次振分体２２、２３により振り分けられ、運が良ければ再び特別遊技振分回転体１９に返戻されて、特別遊技抽選のチャンスを何回でも得ることができる。
【００７０】
以上、本発明の一実施形態について説明したが、本発明の要旨を逸脱しない範囲内で、上記実施形態に対して、次のような種々の変形や変更を施すことが可能である。
（ｉ）特別遊技振分回転体１９を、第１螺旋状回転体１８から放出される遊技球を特別領域部３５または特別遊技状態の発生が消失する外れ領域部に振り分けるものとする。
【図面の簡単な説明】
【００７１】
【図１】本発明を適用した弾球遊技機の正面図である。
【図２】役物の拡大正面図である。
【図３】役物を斜め前方から見たその斜視図である。
【図４】役物内の要部を示す一部破断斜視図である。
【図５】役物における縦断面図である。
【図６】図２におけるVI−VI線横断面図である。
【図７】要部の斜視図である。
【図８】図２におけるVIII−VIII線横断面図である。
【図９】二次リトライ振分体がリトライ誘導位置にあるときの、二次リトライ振分体及びその周辺の要部を示す平面図である。
【図１０】二次リトライ振分体がはずれ誘導位置にあるときの、二次リトライ振分体及びその周辺の要部を示す平面図である。
【図１１】規制部材が下降位置にあるときの、図８におけるXI−XI線縦断面図である。
【図１２】規制部材が上昇位置にあるときの、図８におけるXI−XI線縦断面図である。
【図１３】キャリヤが最下位置にあるときの、上昇搬送機構及びその周辺の要部を示す斜視図である。
【図１４】キャリヤが上昇途中にあるときの、上昇搬送機構及びその周辺の要部を示す斜視図である。
【図１５】図１３におけるXV矢視図である。
【図１６】検出レバーが待機位置にあるときの、検出装置及びその周辺の要部の斜視図である。
【図１７】検出レバーが検出位置にあるときの、検出装置及びその周辺の要部の斜視図である。
【符号の説明】
【００７２】
１  パチンコ機（弾球遊技機）
２  外枠
３  外側ガイドレール
４  内側ガイドレール
５  遊技領域
６  遊技盤
７  ガラス枠扉
８  球貯留皿
９  操作ハンドル
１０  役物
１１  第１始動口
１２  第２始動口
１３  アウト口
１４  ハウジング
１４Ａ  リトライ抽選領域部
１５  羽根部材
１６ａ、１６ｂ  リンク
１７  第１通路
１８  第１螺旋状回転体
１９  特別遊技振分回転体
２０  第２通路
２１  第２螺旋状回転体
２２  一次リトライ振分体（リトライ振分構造体）
２３  二次リトライ振分体（リトライ振分構造体）
２４  規制部材
２５  上昇搬送機構
２６  第３通路
２７  第１回転軸
２８  第１モータ
２９  ギヤ
３０  第２回転軸
３１  ギヤ
３２  中間ギヤ
３３  ギヤ
３４  特別遊技振分受皿
３５  特別入賞検出センサ（特定領域部）
３６  リトライ振分受皿
３７  支軸
３９  リトライ通路（リトライ領域）
４０  排出口
４１  搬送カバー
４２  検出装置
４３  表示塔
５０  振分駆動構造体
１４２  入口
１４３  導入口
１４４  区画板
１４５  排出ガイド部
１４６  カバー部
１４７  押出片
１５１  支軸
１８１  螺旋状スロープ
１８１ａ  排出部
１９１  通常搬送部
１９２  特定入賞口
２１１  螺旋状スロープ
２１１ａ  排出部
２２１  はずれ搬送部
２２２  リトライ搬送部
２３１  軸
２３２  誘導部
２３３  アーム部
２３４  ばね
２４１  軸
２４２  載置部
２５１  第３回転軸
２５２  螺旋杆
２５２ａ  螺旋溝
２５３  支持棒
２５４  キャリヤ
２５４ａ  保持部
２５４ｂ  表示部
２６１  排出部
２８１  ギヤ
３０１  トンネル
３０２  障害部
３４１  特定落し孔
３４２  通常落し孔
３６１  はずれ落し孔（はずれ領域部）
３６２  リトライ落し孔
３９１  窓部
４１２  排出口
４１３  段差部
４２１  検出レバー
４２１ａ  軸
４２１ｂ  第１検出部
４２１ｃ  第２検出部
４２２  検出センサ
５０１  第２モータ
５０２  ピニオン
５０３  第１ギヤ
５０４  第２ギヤ
５０４ａ  突条部
５０４ｂ  係合突部
５０５  第３ギヤ
５０６  第４ギヤ
５０７  第５ギヤ
Ａ  遊技球
【図１】
0005058700.tif 000002
【図２】
0005058700.tif 000003
【図３】
0005058700.tif 000004
【図４】
0005058700.tif 000005
【図５】
0005058700.tif 000006
【図６】
0005058700.tif 000007
【図７】
0005058700.tif 000008
【図８】
0005058700.tif 000009
【図９】
0005058700.tif 000010
【図１０】
0005058700.tif 000011
【図１１】
0005058700.tif 000012
【図１２】
0005058700.tif 000013
【図１３】
0005058700.tif 000014
【図１４】
0005058700.tif 000015
【図１５】
0005058700.tif 000016
【図１６】
0005058700.tif 000017
【図１７】
0005058700.tif 000018